(57)【要約】【課題】リーダーで容易に読み取ることができ、コピー機による複製も防止でき、目視での複製が容易ではなく、暗い印象を与えず、かつ製造が容易である、識別コード付き印刷物を与える。【解決手段】基材、前記基材に印刷されている余白部及びコード部を含む識別コード、及び前記識別コード上の一部及び前記基材上に印刷されている隠蔽部を有する印刷物であって、  前記識別コードのコード部は、赤外光吸収性でかつ可視光吸収性であり；かつ  前記隠蔽部は、赤外透過性でかつ可視光吸収性である、印刷物。【選択図】図１
2015110308.tif 000002
【特許請求の範囲】
【請求項１】
基材、前記基材に印刷されている余白部及びコード部を含む識別コード、及び前記識別コード上の一部及び前記基材上に印刷されている隠蔽部を有する印刷物であって、
前記識別コードのコード部は、赤外光吸収性でかつ可視光吸収性であり；かつ
前記隠蔽部は、赤外透過性でかつ可視光吸収性である、
印刷物。
【請求項２】
前記識別コードのコード部は、その下に白色基材のみを配置して測定した場合に、８８０ｎｍ〜９３０ｎｍの波長の光に対する平均反射率が２０％以下である、請求項１に記載の印刷物。
【請求項３】
前記隠蔽部は、その下に白色基材のみを配置して測定した場合に、８８０ｎｍ〜９３０ｎｍの波長の光に対する平均反射率が６５％以上である、請求項１又は２に記載の印刷物。
【請求項４】
前記隠蔽部及び前記識別コードのコード部は、それぞれその下に白色基材のみを配置して測定した場合に、４６０ｎｍ〜６５０ｎｍの波長の光に対する平均反射率が３０％以下である、請求項１〜３のいずれか一項に記載の印刷物。
【請求項５】
それぞれその下に白色基材のみを配置して測定した場合に、４６０ｎｍ〜６５０ｎｍの波長の光に対する前記隠蔽部の平均反射率と、前記識別コードのコード部の平均反射率との差が１０％以下である、請求項１〜４のいずれか一項に記載の印刷物。
【請求項６】
前記基材が感熱紙であり、かつ前記識別コードが、前記感熱紙にサーマルプリントされている、請求項１〜５のいずれか一項に記載の印刷物。
【請求項７】
前記識別コードの余白率と、前記隠蔽部の不存在率との差が、０．４以下である、請求項１〜６のいずれか一項に記載の印刷物。
【請求項８】
前記隠蔽部が、不規則な線状である、請求項１〜７のいずれか一項に記載の印刷物。
【請求項９】
前記識別コードが２次元コードであり、前記隠蔽部の線又は点の径の、前記２次元コードの１セルの辺長に対する比が、０．５以上２．０以下の範囲である、請求項８に記載の印刷物。
【請求項１０】
さらに保護層を上に有する、請求項１〜９のいずれか一項に記載の印刷物。
【発明の詳細な説明】
【技術分野】
【０００１】
本発明は、コピー機による識別コードの複製を防ぐとともに、識別コードリーダーによる読み取り精度が高い識別コード付き印刷物に関する。
【背景技術】
【０００２】
識別コード付き印刷物としては、ＱＲコード（登録商標）等の２次元コードが付された印刷物が広く知られている。このＱＲコードが付された印刷物は、ＱＲコードのシンボルを、紙等の基材上に、トナー印字、サーマル印字、インキによる印刷等の方法により形成されている（例えば、下記の特許文献１を参照）。
【０００３】
ところが、このような方法で形成されたＱＲコードは、コピー機で複写することで容易に複製することができ、このため、コピー機を利用すれば正規のＱＲコードが付された印刷物と同じものを簡単に複製することができるという問題があった。そのため、このようなＱＲコードは、電車の乗車券等の複製が許容されない分野では利用が難しかった。
【０００４】
その対策として、特許文献２では、２次元コードを印刷するサーマル紙上に２次元コードを隠蔽する黒い隠蔽ベタ層を設け、さらにその上に保護層を設けている。２次元コードを含むこの印刷物をコピー機で複製しようとすると、２次元コードはコピーされず、隠蔽ベタ層がコピーされて真っ黒のベタが印刷される。また、隠蔽ベタ層は、赤外光を透過する混色系の黒インキで形成しているためリーダーで用いる赤外光に対しては透過し、リーダーは隠蔽ベタ層が存在していても２次元コードを読み取ることができるとしている。
【０００５】
また、特許文献３では、２次元コードを形成するサーマル紙上に２次元コードを隠蔽する黒い隠蔽ベタ層を設け、さらにその上に、黒色の第１のカモフラージュ層と透明な第２のカモフラージュ層とから構成されたカモフラージュ層を設けている。この印刷物もコピー機による複製はできず、また隠蔽ベタ層及び第１のカモフラージュ層は、混色系の黒インキで形成しているため、リーダーで用いる赤外光に対しては透過する。
【先行技術文献】
【特許文献】
【０００６】
【特許文献１】特開２００１−３０７１５４号公報
【特許文献２】特開２０１３−１０７７号公報
【特許文献３】特開２０１３−１０７８号公報
【発明の概要】
【発明が解決しようとする課題】
【０００７】
しかしながら、特許文献２に記載の印刷物は、２次元コードを印字するためのサーマル層の上に、隠蔽ベタ層、及び保護層の少なくとも２層が形成されているために、サーマル層に熱をかけて２次元コードを印刷する際、サーマル層に熱が伝わりにくいという問題がある。また、特許文献３に記載の印刷物も、サーマル層上に隠蔽ベタ層、及びカモフラージュ層の少なくとも２層が形成されているために、サーマル層に熱が伝わりにくい。このような場合、例えば自動発券機のようなその場で２次元コードをサーマルプリントする用途においては、２次元コードのプリントが不十分となってしまい、２次元コードとして不適合となる場合があることが分かった。
【０００８】
また、特許文献２に記載の印刷物では、コピー機では読み取ることができないものの、ベタ層の上から２次元コードを感熱印刷しているため、２次元コードが印刷されている部分のみ光沢が変化する。保護層は、その光沢の変化を低くするためにも与えられているが、それでもなお目視では２次元コードをある程度読み取ることができてしまうために、手書きで複製できるという問題がある。
【０００９】
特許文献３に記載の印刷物では、黒の隠蔽ベタ層の上にカモフラージュ層を形成することで、目視での識別性を低下させているが、１つの態様では、第１のカモフラージュ層と第２のカモフラージュ層とが重なって形成しているために、サーマル層の上に３層が形成されていることになり、熱がさらに伝わりにくい。その他の態様では、第１のカモフラージュ層の隙間を埋める印刷によって、第２のカモフラージュ層が形成されるために、製造が容易ではないという問題がある。
【００１０】
さらに、これらの印刷物では、２次元コードを含む箇所が全面的に黒色となるため、印刷物が暗い印象を与えるという問題もあった。
【００１１】
そこで本発明では、識別コードリーダーで容易に読み取ることができ、コピー機による複製も防止でき、目視での複製が容易ではなく、暗い印象を与えず、かつ製造が容易な識別コード付き印刷物を与えることを目的とする。
【課題を解決するための手段】
【００１２】
本発明者らは、鋭意検討したところ、以下の手段により上記課題を解決できることを見出した。すなわち、本発明は以下の通りである：
［１］  基材、前記基材に印刷されている余白部及びコード部を含む識別コード、及び前記識別コード上の一部及び前記基材上に印刷されている隠蔽部を有する印刷物であって、
前記識別コードのコード部は、赤外光吸収性でかつ可視光吸収性であり；かつ
前記隠蔽部は、赤外透過性でかつ可視光吸収性である、
印刷物。
［２］  前記識別コードのコード部は、その下に白色基材のみを配置して測定した場合に、８８０ｎｍ〜９３０ｎｍの波長の光に対する平均反射率が２０％以下である、請求項１に記載の印刷物。
［３］  前記隠蔽部は、その下に白色基材のみを配置して測定した場合に、８８０ｎｍ〜９３０ｎｍの波長の光に対する平均反射率が６５％以上である、請求項１又は２に記載の印刷物。
［４］  前記隠蔽部及び前記識別コードのコード部は、それぞれその下に白色基材のみを配置して測定した場合に、４６０ｎｍ〜６５０ｎｍの波長の光に対する平均反射率が３０％以下である、請求項１〜３のいずれか一項に記載の印刷物。
［５］  それぞれその下に白色基材のみを配置して測定した場合に、４６０ｎｍ〜６５０ｎｍの波長の光に対する前記隠蔽部の平均反射率と、前記識別コードのコード部の平均反射率との差が１０％以下である、請求項１〜４のいずれか一項に記載の印刷物。
［６］  前記基材が感熱紙であり、かつ前記識別コードが、前記感熱紙にサーマルプリントされている、［１］〜［５］のいずれか一項に記載の印刷物。
［７］  前記識別コードの余白率と、前記隠蔽部の不存在率との差が、０．４以下である、［１］〜［６］のいずれか一項に記載の印刷物。
［８］  前記隠蔽部が、不規則な線状である、［１］〜［７］のいずれか一項に記載の印刷物。
［９］  前記識別コードが２次元コードであり、前記隠蔽部の線又は点の径の、前記２次元コードの１セルの辺長に対する比が、０．５以上２．０以下の範囲である、［８］に記載の印刷物。
［１０］  さらに保護層をその表面上に有する、［１］〜［９］のいずれか一項に記載の印刷物。
【発明の効果】
【００１３】
本発明の識別コード付き印刷物は、リーダーで容易に読み取ることができ、コピー機による複製も防止でき、目視での複製が容易ではなく、暗い印象を与えず、かつ製造が容易である。このような識別コード付き印刷物は、従来識別コード付き印刷物が使われていなかった乗車券等に用いることができるため極めて有用である。また、サーマル紙を用いる本発明の好ましい態様の識別コード付き印刷物は、識別コードのサーマルプリントが容易であるため、さらに有用である。
【図面の簡単な説明】
【００１４】
【図１】本発明の印刷物を目視で見た場合（可視光）とリーダーで読み取る場合（赤外光）の見え方の概略図である。
【図２ａ】本発明の印刷物の１つの実施態様の層構造を示す概略図である。
【図２ｂ】従来技術（特許文献３）の印刷物の層構造を示す概略図である。
【図３】実施例１の印刷物の写真である。
【図４】実施例３及び４の印刷物の写真である。
【発明を実施するための形態】
【００１５】
＜印刷物＞
本発明の印刷物は、基材、基材に印刷されている余白部及びコード部を含む識別コード、及び識別コード上の一部に隠蔽部を有する。識別コードのコード部及び隠蔽部はいずれも可視光を吸収するため、目視ではいずれも同色であり、隠蔽部の存在により、識別コードのコピー機による複製及び目視での複製を防止することができる。これに対して、識別コードリーダーが主に用いる８５０ｎｍ付近の赤外光では、識別コードのコード部は光を吸収する一方で、隠蔽部は光を透過するため、隠蔽部があっても識別コードリーダーはコードを読み取ることができる。
【００１６】
図１は、（ａ）目視で見た場合（可視光）と（ｂ）リーダーで読み取る場合（赤外光）の印刷物１０の見え方の概略図であり、目視の場合には隠蔽部３が識別コード（ＱＲコード）２を隠蔽しているが、リーダーが読み取る場合には隠蔽部３は赤外光を透過して識別コード２を隠蔽していない。
【００１７】
図２（ａ）は、本発明の印刷物の１つの実施態様の層構造を示しており、ここでは本発明の印刷物１０は、基材１に識別コード２がサーマルプリントされており、その上に隠蔽部３が印刷されている。図２（ｂ）は、特許文献３の印刷物１０の層構造を示しており、基材１に識別コード２がサーマルプリントされており、隠蔽ベタ層４がその上に形成されている。さらにその上に黒色の第１のカモフラージュ層５及び透明の第２のカモフラージュ層６が形成されている。
【００１８】
（基材）
基材は、識別コードリーダーが用いる波長の赤外光を反射する。基材のみで８８０ｎｍ〜９３０ｎｍの波長の光を用いて測定した場合に、その平均反射率は、６０％以上、７０％以上、又は８０％以上であることが好ましい。
【００１９】
基材は、白色であってもよく、又は他の色を有していてもよいが、４６０ｎｍ〜６５０ｎｍの波長の光を用いて測定した場合、その平均反射率は、５０％以上、６０％以上、７０％以上、又は８０％以上であることが好ましい。ここで本明細書においては、８８０ｎｍ〜９３０ｎｍの波長間での平均反射率は、光学濃度計であるサカタインクスエンジニアリング株式会社製のプリントコントラストメーターＭＲ−１２で、Ｄフィルターを用いて測定した値をいう。また、４６０ｎｍ〜６５０ｎｍの波長間での平均反射率は、同機種でＡフィルターを用いて測定した値である。
【００２０】
このような基材としては、識別コードを印刷することができれば特に制限されないが、例えば上質紙、再生紙、サーマル紙、熱転写用コート紙、ラベルなどの紙類や、ポリエステルフィルム、ポリプロピレンフィルムなどの樹脂フィルムを使用することができる。ただし、サーマル紙を用いる場合、隠蔽部を形成した後に識別コードを券売機等で印刷することができるため、好ましい。サーマル紙としては、サーマルプリントされた情報が赤外光を吸収する特性があれば特に限定されないが、例えば、識別コード２がサーマルプリントされる基材１のサーマル層としては、赤外発色するロイコ染料（電子供与体）と酸性物質（電子受容体）を樹脂バインダ中に固体微粒子として分散させたものが使用できる。そして、このサーマル層が用紙の少なくとも片面に形成された基材１をサーマルヘッドで加熱すると、ロイコ染料と酸性物質の量成分が互いに反応して赤外発色し、特定波長域光を吸収する特性を有するようになる。
【００２１】
（識別コード）
識別コードは、余白部及びコード部を含み、そのコード部は識別コードのリーダーが用いる波長の赤外光を吸収し、僅かしか反射しない。具体的には、識別コードのコード部は、その下に白色基材のみを配置して測定した場合に、８８０ｎｍ〜９３０ｎｍの波長間での平均反射率が、２０％以下、１５％以下、１０％以下、又は８％以下となる。ここで、その白色基材とは、４６０ｎｍ〜６５０ｎｍの波長間での平均反射率が５０％以上、６０％以上、７０％以上、又は８０％以上であり、８８０ｎｍ〜９３０ｎｍの波長間での平均反射率が５０％以上、６０％以上、７０％以上、又は８０％以上である白色の基材をいう。
【００２２】
８８０ｎｍ〜９３０ｎｍの波長間での識別コードのコード部のＰＣＳ値は、好ましくは０．７５以上、０．８０以上、０．８５以上、又は０．９０以上である。ここで、本明細書においては、８８０ｎｍ〜９３０ｎｍの波長間でのＰＣＳ値とは、上記の白色基材上に配置している測定対象を、光学濃度計であるサカタインクスエンジニアリング株式会社製のプリントコントラストメーターＭＲ−１２で、Ｄフィルターを用いて測定したＰＣＳ値をいう。またこの測定は、基材の厚みに測定値が影響を受けないようにして行われ、例えばＪＩＳ−Ｘ９００４に規定されている十分な裏当て法に準拠して測定が行われる。
【００２３】
さらに、識別コードのコード部は、可視光を吸収し、好ましくは目視で黒色である。具体的には、識別コードのコード部は、その下に白色基材のみを配置して測定した場合に、４６０ｎｍ〜６５０ｎｍの波長の光に対する平均反射率は、３０％以下、２０％以下、１５％以下、１０％以下、又は８％以下となる。
【００２４】
４６０ｎｍ〜６５０ｎｍの波長間での識別コードのコード部のＰＣＳ値は、好ましくは０．７５以上、０．８０以上、０．８５以上、又は０．９０以上である。ここで、本明細書においては、４６０ｎｍ〜６５０ｎｍの波長間でのＰＣＳ値とは、上記の白色基材上に配置している測定対象を、光学濃度計であるサカタインクスエンジニアリング株式会社製のプリントコントラストメーターＭＲ−１２で、Ａフィルターを用いて測定したＰＣＳ値をいう。
【００２５】
識別コードのコード部を印刷するプリンタについては、例えばインクジェットプリンタ、レーザープリンタ、サーマルプリンタ、熱転写プリンタ等、各種印字方式のプリンタを挙げることができる。ただし、サーマルプリンタを用いる場合、隠蔽部を形成した後に識別コードを券売機等で印刷することができるため、好ましい。
【００２６】
識別コードとしては１次元コード及び２次元コードが挙げられる。さらに１次元コードとしては、具体的には、ＣＯＤＥ３９、ＣＯＤＥ１２８、ＪＡＮ、ＩＴＦ等のバーコードが挙げられ、２次元コードとしては、具体的には、ＱＲコード、ＰＤＦ４１７、データマトリックス、ＣＰコード、ＭａｘｉＣｏｄｅ等が挙げられる。なお、本発明に適用できる識別コードは、余白部及びコード部を含むものであるが、識別コードを基材に印刷、印字等で形成する際は、コード部のみを形成すればよい。つまり、この場合は、基材自体が余白部となる。
【００２７】
（隠蔽部）
隠蔽部は、例えば混色黒インキによって印刷され、識別コードのリーダーが用いる波長の赤外光を透過する。混色黒インキは、通常、シアン、マゼンタ、及びイエローの三色の染料又は顔料を混合することによって調製される。これらの各色の染料又は顔料は、識別コードリーダーが用いる波長域の赤外光は吸収しないため、混合しても赤外光は吸収しない一方で可視光域では黒色を呈する。具体的には、隠蔽部は、その下に白色基材のみを配置して測定した場合、８８０ｎｍ〜９３０ｎｍの波長間での平均反射率は、６５％以上、７０％以上、８０％以上、８５％以上である。
【００２８】
８８０ｎｍ〜９３０ｎｍの波長間での隠蔽部のＰＣＳ値は、好ましくは０．２０以下、０．１５以下、０．１０以下、又は０．０５以下である。
【００２９】
各隠蔽部は、目視で好ましくは黒色である。具体的には、本発明の印刷物を識別コードがその下に存在しない隠蔽部上において４６０ｎｍ〜６５０ｎｍの波長の光を用いて測定した場合、平均反射率は、３０％以下、２０％以下、１５％以下、１０％以下、又は８％以下となる。
【００３０】
４６０ｎｍ〜６５０ｎｍの波長間での隠蔽部のＰＣＳ値は、好ましくは０．７５以上、０．８０以上、０．８５以上、又は０．９０以上である。
【００３１】
識別コードの黒色と、混色インキによって形成される隠蔽部の黒色の明度の差は、大きいと目視で容易に識別できてしまうために、小さい方が好ましい。具体的には、隠蔽部と、隠蔽部がその上に存在しない識別コードのコード部上との間で、４６０ｎｍ〜６５０ｎｍの波長の光に対する平均反射率の差は１０％以下、８％以下、５％以下、３％以下、又は１％以下であることが好ましい。また、４６０ｎｍ〜６５０ｎｍの波長間での、識別コードのコード部のＰＣＳ値と、隠蔽部のＰＣＳ値との差は、好ましくは０．１２以下、０．１０以下、０．０８以下、０．０５以下、０．０３以下、又は０．０２以下である。
【００３２】
このような隠蔽部を得るために、隠蔽部を一度印刷した後に、２回又は３回以上重ねて印刷したり、インクの着色剤の濃度を高めたりすることができる。
【００３３】
隠蔽部を印刷するためのインキには、印刷後の光沢を低下させるためのマット剤を含有させることが好ましい。マット剤を含むインキによって印刷された隠蔽部では、識別コードをサーマルプリントする前後で、光沢の変化が小さくなり、識別コードの目視での識別性を低下させることができる。
【００３４】
隠蔽部は、識別コード及び基材の一部上に存在する。基材がサーマル紙である場合には、識別コードの全部を隠蔽するためにベタ層とすると、サーマルプリントする際に下の層に熱が伝わりにくくなる。また、熱が伝わった後でも、熱が伝わった部分（すなわち、識別コードの形状部分）で表面に凹凸ができて光沢が変化してしまい、識別コードを目視で識別できてしまう。
【００３５】
識別コードの余白部の面積の、識別コード全体の面積に対する比（識別コードの余白部の面積／識別コードの面積：識別コードの余白率）と、上記識別コード上に隠蔽部が存在しない部分の、識別コード全体の面積に対する比（識別コード上に隠蔽部が存在しない部分の面積／識別コードの面積：隠蔽部の不存在率）との差は、同程度であることが好ましい。具体的には、この差（識別コードの余白率−隠蔽部の不存在率）は、０．４以下、０．３以下、０．２以下、又は０．１以下であることが好ましい。
【００３６】
隠蔽部は、規則的又は不規則な線若しくは点で描かれた、多角形、円若しくは楕円、文字、模様等、識別コードを目視で読み取りにくくする印刷であれば特に制限されない。
【００３７】
２次元コードのコード部の１セルの辺長と、隠蔽部を構成する線の径又は点の最小径とは同程度であることが、目視で読み取りにくくするために好ましい。具体的には、隠蔽部を構成する線の径又は点の最小径の、２次元コードのコード部の１セルの辺長に対する比（隠蔽部の径／２次元コードの辺長）は、０．５以上、０．７以上、又は０．９以上であることが好ましく、かつ２．０以下、１．５以下、又は１．２以下であることが好ましい。
【００３８】
（他の層）
基材と隠蔽部との間には他の層を含んでもよいが、好ましくは、隠蔽部は基材に接している。また、他の層を含む場合であっても、好ましくは混色黒インキで形成されるベタ層は含まない。さらに印刷部の表面には、擦過等から印刷物を保護するためのかつ／又はサーマルプリントした際の印字跡を目立たなくするための保護層を形成することが好ましい。
【実施例】
【００３９】
＜サンプル作製＞
基材として、発色させると赤外光吸収がある黒色を呈する白色のサーマル紙（王子イメージングメディア株式会社製；４６０ｎｍ〜６５０ｎｍの波長間での平均反射率が５０％以上であり、８８０ｎｍ〜９３０ｎｍの波長間での平均反射率が５０％以上である白色の基材）を用いた。この基材に、フレキソテスト印刷機（フレキシプルーフ１００ＵＶ、英国ＲＫプリントコートインスツルメント社製）を用いて以下の表１の組成のインキで、隠蔽部を印刷した。
【００４０】
実施例１〜９で、異なるパターンの隠蔽部を印刷した。各例のパターンの詳細を表２に示す。また、実施例１、３、及び４のサンプルの写真を図３及び４に示す。比較例１及び２では、隠蔽部の代わりに、隠蔽ベタ層を形成したが、比較例２では、表１のインク組成にさらにマット剤として、架橋ポリメタクリル酸メチル微粒子（テクポリマーＭＢＸ−５、積水化成品工業株式会社製）を４重量部添加したインクを用いた。これらのサンプルでは２回刷りで隠蔽部を形成した。
【００４１】
【表１】
2015110308.tif 000003
【００４２】
これらに対して、サーマルプリンタ（ＰＸ４３０、フェニックス株式会社製）を用いて、印字エネルギー２０で、識別コードとしてＱＲコード（データ：５６７８９、バージョン１、訂正レベル：標準のＭ、６ドット／セル、３００ｄｐｉ）をサーマル印字した。
【００４３】
＜評価方法＞
上記のようにして得た印刷物の、隠蔽部が上にない箇所のＱＲコードのコード部、及びＱＲコードのコード部が下にない隠蔽部の、平均反射率及びＰＣＳ値を、光学濃度計（ＭＲ−１２、サカタインクスエンジニアリング株式会社製）でＡフィルター（波長域４６０〜６５０ｎｍ）及びＤフィルター（波長域８８０〜９３０ｎｍ）を用いて測定した。ここで、ＰＣＳ値については、ＪＩＳ−Ｘ９００４に規定された十分な裏当て法に準拠して測定した。また、Ａフィルターを用いた測定した平均反射率及びＰＣＳ値について、隠蔽部が上にない箇所のＱＲコードのコード部の測定値と、ＱＲコードのコード部が下にない隠蔽部の測定値との差を求めた。これらの差が小さい場合には、コード部と隠蔽部との明度の差が小さく、目視での識別性が高くなる。
【００４４】
余白部面積の測定には、ＭＹＫＡ研究所のＡｒｅａ  Ｍｅａｓｕｒｅ（Ｖｅｒ．２．００、リリース日２００１年１２月１４日、ファイル名ＡＭ２００００．ｅｘｅ）を使用した。ここではまず、隠蔽部のない基材に２次元コードを印刷して、ＱＲコードの余白部面積を測定し、ＱＲコードと同じ面積でＱＲコードを印刷する前の各サンプルの隠蔽部の不存在部分の面積を測定した。これにより、ＱＲコードの余白率と、隠蔽部の不存在率との余白率を計算し、その差を求めた。
【００４５】
隠蔽部の線の径又はチェック柄の正方形の径、及び２次元コードの１セルの辺長を、フィルムゲージで測定して、それらの比（径／セル辺長）を求めた。
【００４６】
２次元コードの目視での視認性を隠蔽性として評価した。２次元コードが極めて見えにくい場合には隠蔽性を○、２次元コードが見えにくい場合を△、明らかに見えてしまう場合を×として評価した。
【００４７】
コピー機による複写が可能かどうかを、コピー防止性として評価したところ、全てのサンプルで複写物から２次元コードを読み取ることができなかった。
【００４８】
＜評価結果＞
評価結果を以下の表２に示す。
【００４９】
【表２】
2015110308.tif 000004
【００５０】
なお、全てのサンプルの２次元コードを、読取機（ＢＨＴ−８４５ＱＷ、株式会社デンソーウェーブ製）で読み取れることができた。
【産業上の利用可能性】
【００５１】
本発明の識別コード付き印刷物は、リーダーで容易に読み取ることができ、コピー機による複製も防止でき、目視での複製が容易ではなく、暗い印象を与えず、かつ製造が容易であるため、乗車券等に有用である。また、乗車券を本発明の識別コード付き印刷物で読み込む場合には、現在用いられているような大型の接触式自動改札機は不要となるため極めて有用である。
【符号の説明】
【００５２】
１    基材
２    識別コード
３    隠蔽部
４    隠蔽ベタ層
５    第１のカモフラージュ層
６    第２のカモフラージュ層
１０    印刷物
【図１】
2015110308.tif 000005
【図２ａ】
2015110308.tif 000006
【図２ｂ】
2015110308.tif 000007
【図３】
2015110308.tif 000008
【図４】
2015110308.tif 000009